(57)【要約】【課題】広画角でありながら小型のズームレンズを提供する。【解決手段】物体側より順に正の屈折力を有する第１レンズ群、負の屈折力を有する第２レンズ群、正の屈折力を有する第３レンズ群、および正の屈折力を有する第４レンズ群より成り、ズーミングに際して、前記第２レンズ群は像側へ移動し、前記第３レンズ群は物体側に凸形状の軌跡を有するように移動し、前記第４レンズ群は光軸上を移動するズームレンズにおいて、以下の条件式を満足することを特徴とするズームレンズ。１３．０  ＜  ｆ１／ｆｗ  ＜  ２６．０    （１）２．６  ＜  Ｍ３／ｆｗ  ＜  ５．５        （２）    ｆｗ：全系の広角端における焦点距離    ｆ１：第１レンズ群の焦点距離    Ｍ３：ズーミングの際、第３レンズ群が最も物体側に位置するときの広角端に対する光軸方向への移動量【選択図】図１
2014041196.tif 000002
【特許請求の範囲】
【請求項１】
物体側より順に正の屈折力を有する第１レンズ群、負の屈折力を有する第２レンズ群、正の屈折力を有する第３レンズ群、および正の屈折力を有する第４レンズ群より成り、
ズーミングに際して、前記第２レンズ群は像側へ移動し、前記第３レンズ群は物体側に凸形状の軌跡を有するように移動し、前記第４レンズ群は光軸上を移動するズームレンズにおいて、
以下の条件式を満足することを特徴とするズームレンズ。
１３．０  ＜  ｆ１／ｆｗ  ＜  ２６．０    （１）
２．６  ＜  Ｍ３／ｆｗ  ＜  ５．５        （２）
ｆｗ：全系の広角端における焦点距離
ｆ１：第１レンズ群の焦点距離
Ｍ３：ズーミングの際、第３レンズ群が最も物体側に位置するときの広角端に対する光軸方向への移動量
【請求項２】
以下の条件式を満足することを特徴とする請求項１に記載のズームレンズ。
５．０  ＜  ｆ３／ｆｗ  ＜  ７．７    （３）
ｆ３：第３レンズ群の焦点距離
【請求項３】
以下の条件式を満足することを特徴とする請求項１又は請求項２に記載のズームレンズ。
１．０  ＜  ｆ４／√（ｆｗ・ｆｔ）  ＜  １．８  （４）
ｆｔ：全系の望遠端における焦点距離
ｆ４：第４レンズ群の焦点距離
【請求項４】
前記第３レンズ群は絞りを含み、ズーミングに際して前記絞りは前記第３レンズ群と一体に移動することを特徴とする請求項１乃至請求項３の何れか一項に記載のズームレンズ。
【請求項５】
請求項１乃至請求項４の何れか一項に記載のズームレンズと前記ズームレンズによって形成された像を受光する撮像素子を有することを特徴とする撮像装置。
【請求項６】
請求項１乃至請求項５の何れか一項に記載のズームレンズにおいて、電気的な補正手段により収差を補正することを特徴とする撮像装置。
【発明の詳細な説明】
【技術分野】
【０００１】
本発明はズームレンズおよびそれを用いた撮像装置に関し、特にビデオカメラ、デジタルスチルカメラ、監視用カメラ、銀塩写真用カメラ等に好適なズームレンズおよびそれを有する撮像装置に好適なものである。
【背景技術】
【０００２】
従来から写真用カメラやビデオカメラなどに使われるズームレンズにおいて、物体側の第１レンズ群より後方のレンズ群を移動させてフォーカスを行う、いわゆるリアフォーカス方式を採用した例が種々と提案されている。
【０００３】
リアフォーカス式のズームレンズとして、各群の屈折力を物体側から順に正、負、正、正の構成とし、第２レンズ群を移動させて変倍を行い、第４レンズ群を移動させて変倍に伴う像面変動を補正すると共にフォーカシングを行う４群ズームレンズが知られている。
【０００４】
近年、固体撮像素子の高画素化に伴い、高い光学性能を維持したまま、広画角かつ小型のズームレンズが要望されている。しかしながら、一般に広画角とすると前玉径が大きくなり、レンズの小型化が困難となる。そのため物体側から順に正、負、正、正の構成とし、第２レンズ群と第４レンズ群だけを移動させてズーミングを行う方式では広画角化と小型化の両立は困難である。
【０００５】
これらの要望に対して、各群の屈折力を物体側から順に正、負、正、正の構成とし、ズーミングに際して第２レンズ群を像側へ移動させると共に、第３レンズ群、第４レンズ群を移動させるズームレンズが提案されている（特許文献１，２）。
【先行技術文献】
【特許文献】
【０００６】
【特許文献１】特開平４−３２４８１２号公報
【特許文献２】特許第３１６１１６０号明細書
【発明の概要】
【発明が解決しようとする課題】
【０００７】
これら従来技術に対して、さらに広画角としながら、高い光学性能を実現することが課題となる。
【０００８】
そこで、本発明ではこれらの課題を鑑みて、広画角でありながら、レンズ系の小型化を実現したズームレンズおよびそれを用いた撮像装置の提供を目的とする。
【課題を解決するための手段】
【０００９】
上記目的を達成するために、本発明のズームレンズは、
物体側より順に正の屈折力を有する第１レンズ群、負の屈折力を有する第２レンズ群、正の屈折力を有する第３レンズ群、および正の屈折力を有する第４レンズ群より成り、
ズーミングに際して、前記第２レンズ群は像側へ移動し、前記第３レンズ群は物体側に凸形状の軌跡を有するように移動し、前記第４レンズ群は光軸上を移動するズームレンズにおいて、
以下の条件式を満足することを特徴とする。
１３．０  ＜  ｆ１／ｆｗ  ＜  ２６．０    （１）
２．６  ＜  Ｍ３／ｆｗ  ＜  ５．５        （２）
ｆｗ：全系の広角端における焦点距離
ｆ１：第１レンズ群の焦点距離
Ｍ３：ズーミングの際、第３レンズ群が最も物体側に位置するときの広角端に対する光軸方向への移動量
【発明の効果】
【００１０】
本発明によれば、画角が７５度を超える広画角でありながら、小型のズームレンズが得られる。
【図面の簡単な説明】
【００１１】
【図１】実施例１のズームレンズのレンズ断面図
【図２】実施例１のズームレンズの広角端での収差図
【図３】実施例１のズームレンズの中間での収差図
【図４】実施例１のズームレンズの望遠端での収差図
【図５】実施例２のズームレンズのレンズ断面図
【図６】実施例２のズームレンズの広角端での収差図
【図７】実施例２のズームレンズの中間での収差図
【図８】実施例２のズームレンズの望遠端での収差図
【図９】実施例３のズームレンズのレンズ断面図
【図１０】実施例３のズームレンズの広角端での収差図
【図１１】実施例３のズームレンズの中間での収差図
【図１２】実施例３のズームレンズの望遠端での収差図
【図１３】実施例４のズームレンズのレンズ断面図
【図１４】実施例４のズームレンズの広角端での収差図
【図１５】実施例４のズームレンズの中間での収差図
【図１６】実施例４のズームレンズの望遠端での収差図
【発明を実施するための形態】
【００１２】
本発明のズームレンズは、広画角化、および高性能化を実現しつつも小型化を達成するためのものである。
【００１３】
物体側から順に正、負、正、正の４群構成とし３群を物体側に凸形状の軌跡を有するように移動させると前玉径は小さくなることが知られている。さらに１群のパワーを弱くすると２群への入射角を小さくすることができるため、前玉径を小さくすることができる。一方で１群のパワーを弱くすると変倍比を保つために２群の移動量が長くなるため、全長が長くなる傾向がある。本発明者は、１群の焦点距離を適切な値に設定することによって広角にも関わらず小型化を達成することができた。
上記課題を解決するために、本発明のズームレンズは
物体側より順に正の屈折力を有する第１レンズ群、負の屈折力を有する第２レンズ群、正の屈折力を有する第３レンズ群、および正の屈折力を有する第４レンズ群より成り、
ズーミングに際して、前記第２レンズ群は像側へ移動し、前記第３レンズ群は物体側に凸形状の軌跡を有するように移動し、前記第４レンズ群は光軸上を移動するズームレンズにおいて、
以下の条件式を満足することを特徴とする。
１３．０  ＜  ｆ１／ｆｗ  ＜  ２６．０    （１）
２．６  ＜  Ｍ３／ｆｗ  ＜  ５．５        （２）
ｆｗ：全系の広角端における焦点距離
ｆ１：第１レンズ群の焦点距離
Ｍ３：ズーミングの際、第３レンズ群が最も物体側に位置するときの広角端に対する光軸方向への移動量
高変倍比を確保し、収差を良好に補正するため、物体側から順に正、負、正、正とした。
【００１４】
また、ズーミングに際して第３レンズ群を固定とした場合、前玉径は中間のズーム位置で決まっている。そのため、第３レンズ群を物体側に凸状の軌跡を有するように移動させることにより、中間のズーム位置で第１レンズ群から入射瞳までの距離が短くなり、前玉径の小型化が可能である。
【００１５】
条件式（１）は第１レンズ群の屈折力を規定したものである。条件式の下限値を超えて第１レンズ群の屈折力が強くなると、球面収差や像面湾曲の補正が困難となる。一方、上限値を超えて第１レンズ群の屈折力が弱くなると、収差補正は容易になるが、レンズ全長が長くなり好ましくない。
【００１６】
条件式（２）は第３レンズ群の移動量を規定したものである。条件式の下限値を超えて第３レンズ群の移動量が少なくなると中間のズーム位置で前玉径の小型化が難しくなる。一方、条件式の上限値を超えて第３レンズ群の移動量が多くなると、ズーミングによる像面湾曲の変動が大きくなり、収差補正が困難となる。
【００１７】
上記条件式を満たすことで本発明の目的は達成されるが、広画角化しつつ高性能を実現するためには以下の条件式を満たすことが望ましい。
【００１８】
５．０  ＜  ｆ３／ｆｗ  ＜  ７．７    （３）
条件式（３）は第３レンズ群の屈折力を規定するものである。条件式の下限値を超えて第３レンズ群の屈折力が強くなると、広角端における球面収差や軸上色収差の補正が困難になる。一方、上限値を超えて第３レンズ群の屈折力が弱くなると、収差補正は容易になるが、全長が長くなり好ましくない。
【００１９】
また、以下の条件式を満たすことが望ましい。
１．０  ＜  ｆ４／√（ｆｗ・ｆｔ）  ＜  １．８    （４）
条件式（４）は第４レンズ群の屈折力を規定するものである。条件式の下限値を超えて第４レンズ群の屈折力が強くなると、広角端から望遠端へのズーミングによる像面湾曲の変動が大きくなる。一方、上限値を越えて第４レンズ群の屈折力が弱くなると、ズーミングによる像面変動を補正するために移動量が多くなり、全長が長くなり好ましくない。
【００２０】
本発明のズームレンズにおいて絞りは第３レンズ群と一体に移動することを特徴とする。
【００２１】
絞りを固定とし、第３レンズ群を移動させる場合、ズーム全域で絞りと第３レンズ群が干渉しないように間隔を空ける必要があるため、レンズ全長が長くなり好ましくない。
絞りを第３レンズ群と一体となって移動させることで、全長を長くすることなく前玉径を小型化することが可能である。
【００２２】
本発明のズームレンズは、形成された像を受光する撮像素子を有した撮像素子を有した撮像装置であることを特徴とする。
【００２３】
これは、ズームレンズにより撮影された像を受光する素子を有した撮像装置に関するものである。近年はデジタル的に像を処理するためにＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などが主に使用されており、本発明もこれに相当する撮像素子を有した撮像装置となるものである。
【００２４】
本発明のズームレンズにおいて電気的な補正手段により収差を補正することを特徴とする。
【００２５】
これは、銀塩フィルムとは異なり、デジタルカメラなどでは画像をデジタルデータとして取得できると言う特性を利用し、レンズから得られた画像に対して画像変換処理を施し、諸収差を極力低減させた画像を得るものである。
【００２６】
例えば、歪曲収差や色収差の電気的な補正を行うことにより、従来よりもさらに諸収差が補正された画像を得ることができる。また、コストの観点からは非球面や異常分散ガラスを極力使用せずに済むというメリットもある。
【００２７】
尚、各実施例において、収差補正上更に好ましくは、条件式（１）〜（４）の数値範囲を以下の如く設定するのが良い。
１４．０  ＜  ｆ１／ｆｗ  ＜  ２５．０    （１ａ）
２．７  ＜  Ｍ３／ｆｗ  ＜  ５．３        （２ａ）
５．３  ＜  ｆ３／ｆｗ  ＜  ７．４    （３ａ）
１．０５  ＜  ｆ４／√（ｆｗ・ｆｔ）  ＜  １．７５    （４ａ）
より更に好ましくは条件式（１）〜（４）の数値範囲を以下の如く設定するのが良い。
１５．０  ＜  ｆ１／ｆｗ  ＜  ２４．０    （１ｂ）
２．８  ＜  Ｍ３／ｆｗ  ＜  ５．１        （２ｂ）
５．６  ＜  ｆ３／ｆｗ  ＜  ７．１    （３ｂ）
１．１  ＜  ｆ４／√（ｆｗ・ｆｔ）  ＜  １．７    （４ｂ）
各実施例では以上のように各レンズ群を構成することによって、広画角でありながら小型なズームレンズを得ている。
【００２８】
以下に、本発明のズームレンズの実施形態（数値実施例）について図面を参照して説明する。
【００２９】
図１〜２０は後述する数値実施例１〜５のレンズ断面図、収差図である。
【００３０】
図１は実施例１のズームレンズの広角端におけるレンズ断面図、図２、図３、図４はそれぞれ実施例１のズームレンズの広角端、中間のズーム位置、望遠端における収差図である。
【００３１】
図５は実施例２のズームレンズの広角端におけるレンズ断面図、図６、図７、図８はそれぞれ実施例２のズームレンズの広角端、中間のズーム位置、望遠端における収差図である。
【００３２】
図９は実施例３のズームレンズの広角端におけるレンズ断面図、図１０、図１１、図１２はそれぞれ実施例３のズームレンズの広角端、中間のズーム位置、望遠端における収差図である。
【００３３】
図１３は実施例４のズームレンズの広角端におけるレンズ断面図、図１４、図１５、図１６はそれぞれ実施例４のズームレンズの広角端、中間のズーム位置、望遠端における収差図である。
【００３４】
レンズ断面図において、Ｌ１〜Ｌ４はそれぞれ第１〜４レンズ群、ＳＰは絞り又は光量調整装置、ＧＢはフェースプレートやローパスフィルター等のガラスブロック、ＩＰは像面である。
【００３５】
収差図において、ｄ、ｇはｄ線及びｇ線、ΔＭ、ΔＳはメリジオナル像面、サジタル像面である。倍率色収差はｇ線によって表している。また、Ｆｎｏ．はＦナンバー、ωは半画角である。球面収差においてはｄ線（実線）およびｇ線（破線）を表示し、非点収差においてはｄ線におけるΔＭ、ΔＳを表示し、歪曲収差においてはｄ線を表示し、倍率色収差においてはｄ線に対するｇ線の収差を表示している。
【００３６】
以下の説明、図においてｒｉは物体側より順に第ｉ番目の面の曲率半径、ｄｉは第ｉ番目の面と第ｉ＋１番目の面の間隔、ｎｉとνｉはそれぞれ第ｉ番目のレンズの材質のｄ線における屈折率とアッベ数である。
【００３７】
非球面形状は、光軸方向にＸ軸、光軸と垂直方向ｈ軸、光の進行方向を正とし、Ｒを近軸曲率半径、各非球面係数をＫ、Ｂ（Ａ４）、Ｃ（Ａ６）、Ｄ（Ａ８）、Ｅとしたとき、
【００３８】
【数１】
2014041196.tif 000003
なる式で表している。
【００３９】
また、例えば「ｅ−Ｚ」の表示は「１０−Ｚ」を意味する。
【００４０】
各数値実施例では、広角端から望遠端へのズーミングに際してレンズ断面図に示した矢印のように、第２レンズ群Ｌ２を像側に移動すると共に、第３レンズ群Ｌ３と絞りを一体的に物体側に凸状の軌跡を有するように移動させている。ズーミングに伴う像面変動を第４レンズ群Ｌ４を光軸に沿って移動させることで補正している。
【００４１】
また、第４レンズ群Ｌ４を光軸上移動させてフォーカシングを行うリアフォーカス式を採用している。第４レンズ群Ｌ４に関する曲線４ａと４ｂは、それぞれ無限遠物体と近距離物体にフォーカスしているときの変倍に伴う像面変動を補正するための移動軌跡である。各実施例において、例えば望遠端で無限遠物体から近距離物体へフォーカスを行う場合は、直線４ｃに示す様に第４レンズ群Ｌ４を物体側に繰り出すことにより行っている。
【００４２】
なお各実施例において以下のような手段をとっても良い。
・実施例に示したガラスの形状、枚数に限定されるものではなく、適宜変更すること。
・非球面レンズの材料はガラス材料に限らず、球面レンズ面上に樹脂材料で非球面を形成した（非球面成分を乗せた）ハイブリッドタイプの非球面レンズや、プラスチック材料より成る非球面レンズを用いること。
・一部のレンズおよびレンズ群を光軸に対して垂直方向の成分を持つように移動させ、これにより手ぶれ等の振動に伴う像ぶれを補正すること。
【００４３】
以上、本発明の好ましい実施形態について説明したが、本発明はこれらの実施形態に限定されず、その要旨の範囲内で種々の変形および変更が可能である。
【００４４】
次に、各実施例に対応する数値実施例を示す。また、前述の各条件式と数値実施例における諸数値との関係を表−１に示す。
【００４５】
【表１】
2014041196.tif 000004
［数値実施例１］
【００４６】
単位 mm
面データ
面番号       r        d      nd         vd 
1         62.223    1.30   1.84666    23.9
2         35.484    7.50   1.69680    55.5
3        583.350    0.18
4         39.542    3.50   1.69680    55.5
5         80.618  (可変) 
6         29.127    0.70   1.88300    40.8
7          8.286    5.00
8        -18.510    0.60   1.71300    53.9
9          9.549    0.75
10         11.498    1.80   1.92286    18.9
11         37.527  (可変)
12*        40.151    2.80   1.58313    59.4
13        -17.452    1.30
14(絞り)    ∞       2.20
15        -16.198    0.60   1.76182    26.5
16        180.629    1.00
17*       117.183    2.80   1.58313    59.4
18        -10.365  (可変) 
19         19.081    2.20   1.80400    46.6
20        -11.306    0.55   1.84666    23.9
21        -61.168  (可変) 
22          ∞       3.41   1.54400    60.0
23          ∞     (可変) 
像面        ∞   
非球面データ
第12面
K =-2.82538e+000  A 4=-1.09933e-004  A 6=-1.41359e-006  A 8= 4.45629e-009  
第17面
K =-7.12531e+002  A 4=-2.96136e-005  
各種データ
ズーム比     12.97 
広角     中間       望遠
焦点距離       3.31     9.42    42.98    
Fナンバー      1.85     2.73     3.00    
画角          38.55    15.65     3.51    
像高           2.64     2.64     2.64    
レンズ全長    91.53    91.53    91.53    
BF             4.85     9.17    13.02    
d 5            0.68    17.86    37.08    
d11           36.15    13.77     1.05    
d18           15.08    15.95     5.60    
d21            2.13     6.46    10.31    
d23            0.50     0.50     0.50    
入射瞳位置    21.19    69.21   325.05    
射出瞳位置   131.01   101.81   -54.47    
前側主点位置  24.59    79.51   334.42    
後側主点位置  -2.81    -8.92   -42.48    
ズームレンズ群データ
群  始面    焦点距離  レンズ構成長  前側主点位置  後側主点位置
1    1      58.00        12.48         1.29         -6.05
2    6      -6.80         8.85         2.20         -4.64
3   12      18.63        10.70         6.01         -4.02
4   19      19.41         2.75         0.32         -1.22
5   22       ∞           3.41         1.11         -1.11
単レンズデータ
レンズ  始面  焦点距離
1       1    -99.75
2       2     53.92
3       4    107.61
4       6    -13.32
5       8     -8.76
6      10     17.39
7      12     21.24
8      15    -19.49
9      17     16.46
10      19      9.12
11      20    -16.46
12      22      0.00
［数値実施例２］
【００４７】
単位 mm
面データ
面番号       r        d      nd         vd 
1         93.179    1.20   1.92286    18.9
2         40.049    7.70   1.88300    40.8
3       5359.694    0.18
4         35.020    3.90   1.88300    40.8
5         57.739  (可変)
6         32.571    0.70   1.88300    40.8 
7          7.936    5.60
8        -13.857    0.60   1.77250    49.6
9         15.269    0.75
10         17.535    2.60   1.84666    23.9
11        -48.021  (可変) 
12(絞り)    ∞       2.00
13*        10.096    3.30   1.58313    59.4
14*       -40.274    0.70
15         10.582    1.00   1.92286    18.9
16          7.523  (可変) 
17         14.334    3.00   1.69680    55.5
18         -7.180    0.55   1.84666    23.9
19        -18.481  (可変) 
20          ∞       3.41   1.54400    60.0
21          ∞     (可変) 
像面        ∞   
非球面データ
第13面
K = 8.30630e-001  A 4=-1.58785e-004  A 6= 1.05814e-006  A 8=-5.13417e-008  
A 5=-2.32729e-006  A 7=-3.02943e-007  
第14面
K =-1.75934e+001  A 4= 1.26374e-004  A 6= 2.22673e-006  A 8=-5.66113e-008  
A 5=-9.63346e-006  
各種データ
ズーム比     12.62 
広角     中間       望遠
焦点距離       3.40     9.49    42.92     
Fナンバー      1.85     2.11     1.74      
画角          37.82    15.55     3.52     
像高           2.64     2.64     2.64     
レンズ全長    82.22    82.22    82.22     
BF             6.92     9.33     8.79    
d 5            0.70    14.89    33.34    
d11           31.07    11.66     2.03     
d16            8.56    11.36     3.08     
d19            4.20     6.62     6.08     
d21            0.50     0.50     0.50     
入射瞳位置    21.06    60.28   329.50   
射出瞳位置  -1770.97    77.73   -31.03   
前側主点位置  24.45    70.93   314.00   
後側主点位置  -2.90    -8.99   -42.41   
ズームレンズ群データ
群  始面    焦点距離  レンズ構成長  前側主点位置  後側主点位置
1    1      51.87        12.98         1.00         -5.82
2    6      -7.99        10.25         1.33         -7.31
3   12      19.94         7.00        -0.28         -4.87
4   17      14.08         3.55         0.82         -1.33
5   20       ∞           3.41         1.11         -1.11
単レンズデータ
レンズ  始面  焦点距離
1       1    -76.94
2       2     45.67
3       4     93.29
4       6    -12.04
5       8     -9.32
6      10     15.45
7      13     14.19
8      15    -33.44
9      17      7.28
10      18    -14.18
11      20      0.00
［数値実施例３］
【００４８】
単位 mm
面データ
面番号       r        d      nd         vd 
1         77.268    1.30   1.84666    23.9
2         39.655    8.50   1.69680    55.5
3        320.805    0.18
4         39.904    5.50   1.77250    49.6
5         90.912  (可変)
6         36.617    0.70   1.88300    40.8
7          9.197    5.50
8        -24.460    1.20   1.77250    49.6
9          9.769    0.75
10         11.304    2.50   1.92286    18.9
11         35.248  (可変)
12(絞り)    ∞       1.50
13*        21.875    2.80   1.58313    59.4
14        -11.378    1.00
15        -31.182    0.60   1.76182    26.5
16         36.517    1.50
17*        -8.905    2.70   1.58313    59.4
18*        -7.324  (可変) 
19         16.776    3.50   1.80400    46.6
20         -9.128    0.55   1.84666    23.9
21        -48.112  (可変) 
22          ∞       3.41   1.54400    60.0
23          ∞     (可変)
像面        ∞   
非球面データ
第13面
K =-4.85560e+000  A 4=-2.92633e-004  A 6=-2.01761e-006  A 8=-9.75086e-008  
第17面
K =-5.26689e-002  A 4=-6.07693e-005  
第18面
K =-1.18985e+000  A 4=-3.46318e-004  A 6=-1.28465e-006  A 8=-1.26414e-007  
各種データ
ズーム比     13.77 
広角     中間       望遠
焦点距離       3.12     7.76    42.93    
Fナンバー      1.85     2.73     3.00     
画角          40.27    18.78     3.52      
像高           2.64     2.64     2.64      
レンズ全長    97.16    97.16    97.16     
BF             5.90     8.82    11.39    
d 5            0.70    16.54    40.01    
d11           35.17    14.90     1.16      
d18           13.91    15.42     3.12     
d21            3.19     6.11     8.68     
d23            0.50     0.50     0.50     
入射瞳位置    23.99    65.75   374.74   
射出瞳位置    41.53    33.97  -144.27   
前側主点位置  27.34    75.32   404.94   
後側主点位置  -2.62    -7.26   -42.43   
ズームレンズ群データ
群  始面    焦点距離  レンズ構成長  前側主点位置  後側主点位置
1    1      62.00        15.48         1.57         -7.32
2    6      -7.00        10.65         2.48         -5.30
3   12      20.10        10.10         5.69         -3.36
4   19      16.83         4.05         0.51         -1.78
5   22       ∞           3.41         1.11         -1.11
単レンズデータ
レンズ  始面  焦点距離
1       1    -97.76
2       2     64.14
3       4     87.94
4       6    -14.08
5       8     -8.90
6      10     17.17
7      13     13.25
8      15    -21.99
9      17     43.43
10      19      7.82
11      20    -13.39
12      22      0.00
［数値実施例４］
【００４９】
単位 mm
面データ
面番号       r        d      nd         vd
1         76.088    1.50   1.84666    23.9
2         44.151    9.40   1.69680    55.5
3        311.742    0.18
4         41.572    5.80   1.69680    55.5
5         84.164  (可変)
6         39.655    0.70   1.88300    40.8
7          9.976    3.20
8         22.686    0.85   2.00330    28.3
9         11.590    4.50
10        -14.208    0.90   1.48701    70.2
11         12.787    0.82
12         17.858    2.00   1.92286    18.9
13        321.161  (可変)
14*        12.638    2.80   1.58313    59.4
15*       -19.725    1.30
16(絞り)    ∞       2.20
17        -23.476    0.60   1.76182    26.5
18         20.918    1.00
19*       -22.847    2.80   1.58313    59.4
20         -9.758  (可変) 
21         19.608    2.80   1.83400    37.2
22         -8.809    0.55   1.92286    18.9
23        -25.515  (可変) 
24          ∞       3.41   1.54400    60.0
25          ∞     (可変)
像面        ∞   
非球面データ
第14面
K = 2.48999e-001  A 4=-5.43882e-005  A 6=-1.71945e-007  A 8= 2.45456e-008  
第15面
K =-6.24301e+000  A 4= 3.28488e-005  A 6= 2.04654e-007  A 8= 2.37793e-008  
第19面
K =-7.63606e-001  A 4=-1.17194e-004  
各種データ
ズーム比     11.80 
広角     中間       望遠
焦点距離       2.97     8.35    35.01    
Fナンバー      1.85     2.73     3.00      
画角          41.66    17.55     4.31     
像高           2.64     2.64     2.64     
レンズ全長   104.28   104.28   104.28    
BF             5.20     9.46    13.07    
d 5            0.68    19.99    42.94    
d13           41.16    14.32     0.89     
d20           12.14    15.59     2.27     
d23            2.48     6.56    10.36    
d25            0.50     0.50     0.50     
入射瞳位置    25.18    78.08   363.78   
射出瞳位置    59.72    33.64   -40.40   
前側主点位置  28.30    88.52   368.83   
後側主点位置  -2.47    -7.85   -34.51    
ズームレンズ群データ
群  始面    焦点距離  レンズ構成長  前側主点位置  後側主点位置
1    1      70.00        16.88         0.90         -8.86
2    6      -6.80        12.97         2.46         -8.08
3   14      20.79        10.70         1.60         -8.45
4   21      15.02         3.35         0.76         -1.12
5   24       ∞           3.41         1.11         -1.11
単レンズデータ
レンズ  始面  焦点距離
1       1   -126.97
2       2     72.77
3       4    111.65
4       6    -15.26
5       8    -24.56
6      10    -13.67
7      12     20.42
8      14     13.64
9      17    -14.44
10      19     27.07
11      21      7.63
12      22    -14.81
13      24      0.00
【符号の説明】
【００５０】
Ｌ１：第１レンズ群
Ｌ２：第２レンズ群
Ｌ３：第３レンズ群
Ｌ４：第４レンズ群
ＳＰ：絞り又は光量調整装置
ＧＢ：ガラスブロック
ＩＰ：像面
ｄ：ｄ線
ｇ：ｇ線
Ｆｎｏ：Ｆナンバー
ω：半画角
ΔＳ：サジタル像面
ΔＭ：メリジオナル像面
【図１】
2014041196.tif 000005
【図２】
2014041196.tif 000006
【図３】
2014041196.tif 000007
【図４】
2014041196.tif 000008
【図５】
2014041196.tif 000009
【図６】
2014041196.tif 000010
【図７】
2014041196.tif 000011
【図８】
2014041196.tif 000012
【図９】
2014041196.tif 000013
【図１０】
2014041196.tif 000014
【図１１】
2014041196.tif 000015
【図１２】
2014041196.tif 000016
【図１３】
2014041196.tif 000017
【図１４】
2014041196.tif 000018
【図１５】
2014041196.tif 000019
【図１６】
2014041196.tif 000020